(57)【要約】【課題】媒体の積載状態の乱れを低減できる媒体処理装置を提供する。【解決手段】媒体処理装置は、シート状の媒体Ｓに処理を施す処理部と、処理部により処理が施された媒体が排出される排出口１９が開口する外壁２３と、排出口から排出された媒体が積載される積載面２１を有する積載部２２と、排出口よりも下方に設けられる吸引口２４を介して積載面上の気体を吸引する吸引部６１と、吸引部の仕事量を制御する制御部と、を備え、制御部は、積載部に積載された媒体により塞がれて減少する吸引口の開口している面積に応じて、吸引部の仕事量を小さくする。【選択図】図５
2019014600.tif 000002
【特許請求の範囲】
【請求項１】
シート状の媒体に処理を施す処理部と、
前記処理部により処理が施された前記媒体が排出される排出口が開口する外壁と、
前記排出口から排出された前記媒体が積載される積載面を有する積載部と、
前記排出口よりも下方に設けられる吸引口を介して前記積載面上の気体を吸引する吸引部と、
前記吸引部の仕事量を制御する制御部と、を備え、
前記制御部は、前記積載部に積載された前記媒体により塞がれて減少する前記吸引口の開口している面積に応じて、前記吸引部の仕事量を小さくすることを特徴とする媒体処理装置。
【請求項２】
前記吸引口は、前記積載面に開口していることを特徴とする請求項１に記載の媒体処理装置。
【請求項３】
前記制御部は、前記積載部に積載される前記媒体の積載高さが高くなることに基づいて、前記吸引部の仕事量を大きくすることを特徴とする請求項２に記載の媒体処理装置。
【請求項４】
前記吸引口は、前記外壁に開口していることを特徴とする請求項１に記載の媒体処理装置。
【請求項５】
前記外壁及び前記積載部に連なって延びる側壁を備え、
前記吸引口は、前記側壁に開口していることを特徴とする請求項１又は請求項４に記載の媒体処理装置。
【請求項６】
前記吸引口は、上下方向に延びるスリット状の開口として複数設けられ、前記制御部は、前記積載部に積載された前記媒体により複数の前記吸引口のそれぞれの一部が塞がれることによって減少する前記吸引口の開口している面積に応じて、前記吸引部の仕事量を小さくすることを特徴とする請求項４又は請求項５に記載の媒体処理装置。
【請求項７】
前記吸引口は、上下方向に配列される開口として複数設けられ、前記制御部は、前記積載部に積載された前記媒体により複数の前記吸引口の一部が塞がれることによって減少する前記吸引口の開口している面積に応じて、前記吸引部の仕事量を小さくすることを特徴とする請求項４又は請求項５に記載の媒体処理装置。
【請求項８】
前記積載部に積載されている前記媒体の積載量を検出可能な検出部を備え、
前記制御部は、前記検出部の検出に基づいて、前記吸引部の仕事量を変更することを特徴とする請求項１乃至請求項７のうち何れか一項に記載の媒体処理装置。
【請求項９】
前記制御部は、前記排出口から排出される前記媒体の排出数をカウント可能とされ、前記媒体の排出数に基づいて、前記吸引部の仕事量を変更することを特徴とする請求項１乃至請求項７のうち何れか一項に記載の媒体処理装置。
【請求項１０】
前記吸引部が吸引した気体を送風する送風部を備え、
前記送風部は、前記排出口よりも上方から気体を前記積載面に向けて送風することを特徴とする請求項１乃至請求項９のうち何れか一項に記載の媒体処理装置。
【請求項１１】
前記制御部は、前記排出口から排出される前記媒体のサイズに基づいて、前記吸引部の仕事量を変更することを特徴とする請求項１乃至請求項１０のうち何れか一項に記載の媒体処理装置。
【請求項１２】
前記処理部は、前記媒体に記録する記録部であることを特徴とする請求項１乃至請求項１１のうち何れか一項に記載の媒体処理装置。
【発明の詳細な説明】
【技術分野】
【０００１】
本発明は、例えばプリンター等の媒体処理装置に関する。
【背景技術】
【０００２】
媒体に処理を施す媒体処理装置の一種として、シート状の媒体に文字、写真等の画像を記録する記録装置がある。記録装置の一例として、特許文献１には、記録した媒体を排出口から排出し、排出口から排出されて落下する媒体をトレイに積載する画像形成装置が記載されている。この画像形成装置は、トレイ上の空気を吸引する吸引部を備えている。画像形成装置は、排出口から排出される媒体の下方の空気を吸引部が吸引することによって、媒体をトレイに向けて素早く落下させ、トレイに積載される媒体の積載状態の乱れを低減している。
【先行技術文献】
【特許文献】
【０００３】
【特許文献１】特開２０１５−２１２１９４号公報
【発明の概要】
【発明が解決しようとする課題】
【０００４】
こうした画像形成装置においては、吸引部の吸引が強過ぎると、トレイに積載される媒体の積載状態が乱れる虞がある。
本発明の目的は、媒体の積載状態の乱れを低減できる媒体処理装置を提供することにある。
【課題を解決するための手段】
【０００５】
以下、上記課題を解決するための手段及びその作用効果について記載する。
上記課題を解決する媒体処理装置は、シート状の媒体に処理を施す処理部と、前記処理部により処理が施された前記媒体が排出される排出口が開口する外壁と、前記排出口から排出された前記媒体が積載される積載面を有する積載部と、前記排出口よりも下方に設けられる吸引口を介して前記積載面上の気体を吸引する吸引部と、前記吸引部の仕事量を制御する制御部と、を備え、前記制御部は、前記積載部に積載された前記媒体により塞がれて減少する前記吸引口の開口している面積に応じて、前記吸引部の仕事量を小さくする。
【０００６】
排出口から排出される媒体の下方の気体を吸引部が吸引することによって、積載部に向けて媒体を安定して落下させる。このとき、積載部に媒体が積載されることに伴い、吸引口の一部が媒体によって塞がれる。吸引部が一定の仕事量で駆動している場合、吸引口の一部が媒体に塞がれると、吸引口のうち気体を吸引可能な吸引口の割合が減少するため、吸引口を通過する気体の流速が速くなる。吸引口を通過する気体の流速が速くなると、排出口から排出される媒体を強く吸引することになるため、積載部に積載される媒体の積載状態の乱れに繋がる虞がある。この点、上記構成によれば、積載部に積載された媒体により塞がれて減少する吸引口の開口している面積に応じて、吸引部の仕事量を小さくするため、吸引口を通過する気体の流速が速くなることを抑制できる。したがって、媒体の積載状態の乱れを低減できる。
【０００７】
上記媒体処理装置において、前記吸引口は、前記積載面に開口していることが好ましい。
この構成によれば、排出口から排出される媒体の下方の気体を吸引部により積載面が位置する側から好適に吸引できる。
【０００８】
上記媒体処理装置において、前記制御部は、前記積載部に積載される前記媒体の積載高さが高くなることに基づいて、前記吸引部の仕事量を大きくすることが好ましい。
積載部に吸引口が設けられているため、積載部に積載される媒体の積載高さが高くなると、積載されたその媒体によって、排出口から排出される媒体の下方の気体を吸引部が吸引し難くなる。この点、上記構成によれば、積載部に積載される媒体の積載高さが高くなることに基づいて吸引部の仕事量を大きくするため、排出口から排出される媒体の下方の気体を吸引部により大きな仕事量でもって好適に吸引できる。
【０００９】
上記媒体処理装置において、前記吸引口は、前記外壁に開口していることが好ましい。
この構成によれば、排出口から排出される媒体の下方の気体を吸引部により外壁が位置する側から好適に吸引できる。
【００１０】
上記媒体処理装置においては、前記外壁及び前記積載部に連なって延びる側壁を備え、前記吸引口は、前記側壁に開口していることが好ましい。
この構成によれば、排出口から排出される媒体の下方の気体を吸引部により側壁が位置する側から好適に吸引できる。
【００１１】
上記媒体処理装置において、前記吸引口は、上下方向に延びるスリット状の開口として複数設けられ、前記制御部は、前記積載部に積載された前記媒体により複数の前記吸引口のそれぞれの一部が塞がれることによって減少する前記吸引口の開口している面積に応じて、前記吸引部の仕事量を小さくすることが好ましい。
【００１２】
この構成によれば、吸引口が上下方向に延びるスリット状の開口として複数設けられているため、積載部に積載された媒体が吸引口内に吸い込まれる虞を低減できる。
上記媒体処理装置において、前記吸引口は、上下方向に配列される開口として複数設けられ、前記制御部は、前記積載部に積載された前記媒体により複数の前記吸引口の一部が塞がれることによって減少する前記吸引口の開口している面積に応じて、前記吸引部の仕事量を小さくすることが好ましい。
【００１３】
この構成によれば、吸引口が上下方向に配列される開口として複数設けられているため、積載部に積載された媒体が吸引口内に吸い込まれる虞を低減できる。
上記媒体処理装置においては、前記積載部に積載されている前記媒体の積載量を検出可能な検出部を備え、前記制御部は、前記検出部の検出に基づいて、前記吸引部の仕事量を変更することが好ましい。
【００１４】
積載部に積載される媒体の積載量が増えると、吸引口において媒体によって塞がれる割合が増える。そのため、この構成によれば、積載部に積載される媒体の積載量に基づいて、媒体によって塞がれている吸引口の割合を把握できる。すなわち、積載部に積載された媒体により塞がれて減少する吸引口の開口している面積に応じて、吸引部の仕事量を変更できる。
【００１５】
上記媒体処理装置においては、前記制御部は、前記排出口から排出される前記媒体の排出数をカウント可能とされ、前記媒体の排出数に基づいて、前記吸引部の仕事量を変更することが好ましい。
【００１６】
排出口から排出された媒体は積載部に積載されるため、排出口から排出される媒体の排出数が増えると、吸引口において媒体によって塞がれる割合が増える。そのため、この構成によれば、排出口から排出される媒体の排出数に基づいて、媒体によって塞がれている吸引口の割合を把握できる。すなわち、積載部に積載された媒体により塞がれて減少する吸引口の開口している面積に応じて、吸引部の仕事量を変更できる。
【００１７】
上記媒体処理装置においては、前記吸引部が吸引した気体を送風する送風部を備え、前記送風部は、前記排出口よりも上方から気体を前記積載面に向けて送風することが好ましい。
【００１８】
この構成によれば、送風部は、排出口から排出される媒体に対し、その上方から下方に向けて気体を送風する。そのため、排出口から排出される媒体を積載部に向けて素早く落下させることができる。
【００１９】
上記媒体処理装置において、前記制御部は、前記排出口から排出される前記媒体のサイズに基づいて、前記吸引部の仕事量を変更することが好ましい。
媒体のサイズによっては、吸引部の吸引が強すぎる場合がある。そのため、例えば、通常使用する媒体のサイズと比較して、排出口から排出される媒体のサイズが小さい場合には、吸引部の仕事量を小さくする。すなわち、上記構成によれば、媒体のサイズに基づいて、吸引部の仕事量を適切に制御できる。
【００２０】
上記媒体処理装置において、前記処理部は、前記媒体に記録する記録部であることが好ましい。
この構成によれば、記録部により記録された媒体の積載状態の乱れを低減できる。
【図面の簡単な説明】
【００２１】
【図１】媒体処理装置の一例である記録装置の第１実施形態を示す斜視図。
【図２】記録装置の内部構造を示す側面図。
【図３】記録装置の奥行方向における媒体の整列性を示すグラフ。
【図４】記録装置の幅方向における媒体の整列性を示すグラフ。
【図５】積載部を模式的に示す側面図。
【図６】記録装置の第２実施形態を示す斜視図。
【図７】積載部の断面図。
【図８】積載部の断面図。
【図９】記録装置の変更例を示す斜視図。
【図１０】記録装置の他の変更例を示す斜視図。
【図１１】図１０における積載部の一部の断面図。
【図１２】吸引口の変更例を示す斜視図。
【図１３】吸引口の他の変更例を示す斜視図。
【図１４】図９及び図１０とは異なる記録装置の変更例を示す斜視図。
【発明を実施するための形態】
【００２２】
（第１実施形態）
以下、媒体処理装置の一例である記録装置の第１実施形態について図を参照して説明する。
【００２３】
図１に示すように、記録装置１１は、筐体１２を備えている。記録装置１１は、例えば用紙などのシート状の媒体（図２参照）Ｓに文字、写真などの画像を記録可能に構成されている。すなわち、記録装置１１は、例えばプリンターである。記録装置１１は、筐体１２の上方に、原稿を読取可能な読取機構１３と、記録装置１１を操作するための操作部１４とを備えている。
【００２４】
読取機構１３は、例えばスキャナーとして構成されている。操作部１４は、例えば、記録装置１１を操作するためのタッチパネルを有している。操作部１４は、記録装置１１を操作するための操作ボタンを有していてもよい。読取機構１３及び操作部１４は、筐体１２の上方において隣り合うように並んで配置されている。
【００２５】
読取機構１３及び操作部１４が並ぶ方向が、記録装置１１の奥行方向とされている。記録装置１１の奥行方向において、読取機構１３及び操作部１４のうち操作部１４が位置する側が、記録装置１１の前方側とされている。筐体１２において前方側の面であるその前面１５は、記録装置１１の上下方向及び幅方向に広がりを有している。記録装置１１の奥行方向、上下方向、幅方向は、それぞれ異なる方向を示す。
【００２６】
記録装置１１は、カバー１６及び媒体カセット１７を備えている。カバー１６は、筐体１２の側方に取り付けられている。すなわち、カバー１６は、記録装置１１の幅方向において一方の側に設けられている。本実施形態において、記録装置１１の幅方向において、カバー１６が設けられている側を第１端側とし、その反対側を第２端側とする。
【００２７】
カバー１６は、筐体１２に対して開閉可能とされている。図１におけるカバー１６は、筐体１２に対して閉じている。筐体１２に対してカバー１６が開くと、筐体１２の内部に媒体Ｓを手差しで供給するための供給口（図２参照）１８が露出する。
【００２８】
媒体カセット１７は、筐体１２の下部に配置されている。媒体カセット１７は、筐体１２に対して前方側から着脱可能とされ、媒体Ｓを積層状態で収容可能とされている。媒体カセット１７は、媒体Ｓを収容した状態で筐体１２に装着されることによって、媒体Ｓを筐体１２の内部にセットする。記録装置１１は、供給口１８及び媒体カセット１７から供給される媒体Ｓに画像を記録する。
【００２９】
記録装置１１は、筐体１２の上部に、記録された媒体Ｓが排出される排出口１９と、排出口１９から排出された媒体Ｓが積載される積載面２１を有する積載部２２とを備えている。排出口１９は、筐体１２の一部を構成する外壁２３に開口している。そのため、記録装置１１は、排出口１９が開口する外壁２３を備えているといえる。外壁２３は、記録装置１１の上下方向及び奥行方向に広がりを有する壁である。排出口１９は、外壁２３においてその上側寄りとなる位置に開口している。
【００３０】
外壁２３において、排出口１９の下方には、吸引口２４が設けられている。すなわち、吸引口２４は、排出口１９よりも下方に位置している。吸引口２４は、記録装置１１の上下方向に延びるスリット状の開口である。吸引口２４は、外壁２３において、記録装置１１の奥行方向において等間隔で並ぶように複数設けられている。
【００３１】
積載部２２は、筐体１２の一部を構成するように設けられている。積載部２２は、排出口１９よりも下方に位置している。積載部２２は、外壁２３の下端からカバー１６が位置する側（第１端側）に向かって延びるように設けられている。すなわち、積載部２２は、記録装置１１の奥行方向に外壁２３の幅をもって記録装置１１の幅方向に延びているともいえる。
【００３２】
積載部２２は、排出口１９から排出された媒体Ｓを積載する積載面２１を有する。そのため、積載面２１は、記録装置１１の奥行方向及び幅方向に広がりを有しているといえる。排出口１９から排出される媒体Ｓは、積載部２２に落下して、積載面２１に積載される。
【００３３】
積載部２２は、記録装置１１の幅方向において、外壁２３からカバー１６側に向かって上り傾斜となるように構成されている。換言すると、積載部２２は、記録装置１１の幅方向において、第２端側から第１端側に向けて上り傾斜となるように構成されている。そのため、排出口１９から排出された媒体Ｓは、積載部２２に積載される際に、積載面２１の傾斜に沿って滑り落ちるように外壁２３の側に移動する。具体的には、媒体Ｓは、積載面２１上において、記録装置１１の幅方向において第１端側から第２端側に向けて滑り落ちるように移動する。これによって、積載部２２に媒体Ｓが積載される際、その媒体Ｓの後端が外壁２３に接触する。すなわち、外壁２３においては、排出される媒体Ｓの後端が接触する。そのため、外壁２３は、積載部２２に積載される複数の媒体Ｓの後端同士を揃えることで、媒体Ｓの積載状態の乱れを低減する機能を有しているともいえる。
【００３４】
記録装置１１は、外壁２３及び積載部２２と連なって延びる側壁２５を有している。側壁２５は、記録装置１１の上下方向及び幅方向に広がりを有する。側壁２５は、記録装置１１において、その後方側、すなわち記録装置１１の奥行方向における奥側に設けられている。
【００３５】
積載部２２の上方には、読取機構１３が位置している。積載部２２は、記録装置１１の上下方向で読取機構１３の一部と重なっている。そのため、積載部２２は、記録装置１１において、積載部２２の積載面２１、外壁２３、側壁２５、読取機構１３によって囲まれるように配置されている。一方、積載部２２は、記録装置１１において、記録装置１１の前方側、カバー１６が設けられている記録装置１１の側方側（第１端側）が開放されている。記録装置１１は、積載部２２に積載される媒体Ｓに対し、その前方側及び側方側（第１端側）からアクセス可能となるように構成されている。
【００３６】
図２に示すように、記録装置１１は、筐体１２の内部に、記録装置１１の動作を統括的に制御する制御部３０を備えている。記録装置１１は、筐体１２の内部に、媒体Ｓに画像を記録するための記録部３２と、記録部３２による記録中の媒体Ｓを支持するための支持台３１とを備えている。記録装置１１は、筐体１２の内部に、媒体Ｓが搬送されるための搬送経路４０と、搬送経路４０に沿って媒体Ｓを搬送するための搬送部３３とを備えている。
【００３７】
支持台３１は、記録装置１１の上下方向において、媒体カセット１７と積載部２２との間となる位置に配置されている。記録部３２は、支持台３１よりも上方に設けられ、支持台３１と対向するように配置されている。記録部３２は、支持台３１に支持される媒体Ｓに向けて、例えばインクなどの液体を吐出することによって、媒体Ｓに画像を記録する。すなわち、記録部３２は、媒体Ｓに処理を施す処理部の一例である。搬送部３３は、搬送経路４０に沿って配置され、媒体Ｓを搬送する複数のローラー３４を有している。
【００３８】
搬送経路４０は、媒体Ｓを記録部３２に供給するための第１供給経路４１と、第２供給経路４２と、第３供給経路４３とを有している。搬送経路４０は、記録部３２により記録された媒体Ｓを排出口１９から排出するための排出経路４４と、排出経路４４から分岐する分岐経路４５とを有している。
【００３９】
第１供給経路４１は、媒体カセット１７に収容された媒体Ｓが記録部３２に向けて搬送される経路である。第２供給経路４２は、筐体１２の側方（図２において右側方）に取り付けられたカバー１６を開くことで露出される供給口１８から供給された媒体Ｓが記録部３２に向けて搬送される経路である。第３供給経路４３は、媒体Ｓの両面に画像を記録するいわゆる両面印刷を実行するために、その一面に画像を記録された媒体Ｓが再び記録部３２に向けて搬送される経路である。第３供給経路４３は、記録部３２を迂回するように、積載部２２と記録部３２との間を延びている。
【００４０】
排出経路４４は、筐体１２の上部に開口する排出口１９に向けて記録部３２から延びる経路である。排出経路４４は、搬送される媒体Ｓの姿勢が反転されるように湾曲している。そのため、排出経路４４を搬送される媒体Ｓは、記録部３２により記録された一面が上方を向く姿勢から下方を向く姿勢となるように反転される。排出口１９から排出された媒体Ｓは、積載部２２に向けて落下し、記録された一面が積載面２１と対向するように積載される。
【００４１】
分岐経路４５は、排出経路４４の途中位置から分岐するように延びている。分岐経路４５は、排出経路４４に沿うように湾曲して延びている。分岐経路４５は、その途中位置において、第３供給経路４３と接続されている。分岐経路４５には、搬送部３３を構成するローラー３４の一種であり、正方向及び逆方向の両方向に回転可能なスイッチバックローラー３５が配置されている。
【００４２】
スイッチバックローラー３５が正回転することによって、媒体Ｓは、排出経路４４から分岐経路４５に沿って搬送される。スイッチバックローラー３５が逆回転することによって、媒体Ｓは、分岐経路４５から第３供給経路４３に向けて逆搬送、すなわちスイッチバックされる。記録部３２の上方を延びる第３供給経路４３を搬送される媒体Ｓは、すでに記録された一面とは反対側の他面が記録部３２と対向するようにその姿勢が反転されながら搬送され、記録部３２により両面印刷される。
【００４３】
記録装置１１は、積載部２２に積載される媒体Ｓの積載高さを検出可能な検出部３６を備えている。積載部２２に積載される媒体Ｓの積載高さとは、記録装置１１の上下方向において、積載部２２に積載された複数の媒体Ｓにおける最上位の媒体Ｓと積載面２１との距離のことである。検出部３６は、側壁２５に取り付けられている。検出部３６は、例えば光学式のセンサーとして構成されている。検出部３６は、積載部２２に積載されている媒体Ｓに向けて赤外線を照射することによって、その積載高さを検出する。制御部３０は、検出部３６が検出した媒体Ｓの積載高さを、積載部２２に積載されている媒体Ｓの積載量として取得する。すなわち、検出部３６は、積載部２２に積載される媒体Ｓの積載量を検出可能であるといえる。
【００４４】
検出部３６は、上述した態様に限らない。検出部３６は、例えば、側壁２５に設けられた複数のセンサーによって、記録装置１１の奥行方向において積載面２１上をセンシングする態様でもよい。この場合、検出部３６は、複数のセンサーのうち、積載部２２に積載される媒体Ｓによって遮られたセンサーの数に基づいて、媒体Ｓの積載高さ、すなわち積載量を検出する。また、検出部３６は、光学式のセンサーに限らず、積載部２２に積載される媒体Ｓの重量を検出する構成でもよい。この場合、制御部３０は、検出部３６が検出した媒体Ｓの重量に基づいて、媒体Ｓの積載量を取得する。
【００４５】
記録装置１１は、筐体１２の上部に、送風部５１を備えている。送風部５１は、排出口１９よりも上方に開口する送風口５２を介して気体を送風可能とされている。送風部５１は、記録装置１１の外部から取り込まれた気体を送風する。そのため、送風部５１が送風する気体は、記録装置１１が設置される雰囲気中の気体、すなわち空気である。
【００４６】
送風部５１は、気体を送風するための送風ファン５３と、送風ファン５３により送風される気体が流れる送風流路５４とを備えている。送風ファン５３は、送風流路５４内に配置されている。送風流路５４は、送風口５２から送風ファン５３に向かって延びている。送風ファン５３が駆動すると、送風口５２から気体が送風される。
【００４７】
送風部５１は、送風口５２を介して、排出口１９から排出される媒体Ｓに対して上方から気体を下方に向けて送風する。送風部５１は、排出口１９よりも上方から積載面２１に向けて気体を送風する。排出口１９から排出される媒体Ｓは、送風部５１からの送風により積載部２２に向けて押し付けられることによって、積載部２２に素早く落下される。
【００４８】
記録装置１１は、吸引口２４を介して気体を吸引可能な吸引部６１を備えている。吸引部６１が吸引する気体は、記録装置１１が設置される雰囲気中の気体、すなわち空気である。吸引部６１は、気体を吸引するための吸引ファン６２と、吸引ファン６２により吸引される気体が流れる吸引流路６３とを備えている。
【００４９】
吸引流路６３は、吸引口２４から吸引ファン６２に向かって延びている。吸引ファン６２が駆動すると、吸引口２４を介して気体が吸引される。なお、吸引流路６３と送風流路５４とは、筐体１２の内部において互いに接続されている。そのため、吸引部６１が吸引した筐体１２の外部の気体は、送風部５１により筐体１２の外部に排出される。また、吸引部６１の吸引の強さと、送風部５１の送風の強さとは、互いに連動している。すなわち、吸引部６１の吸引が強い場合、送風部５１の送風も強くなる。吸引部６１の吸引が弱い場合、送風部５１の送風も弱くなる。吸引流路６３と送風流路５４とが互いに接続されている場合、吸引ファン６２が送風ファン５３を兼ねる構成としてもよい。また、送風ファン５３が吸引ファン６２を兼ねる構成としてもよい。
【００５０】
吸引部６１は、吸引口２４を介することによって、積載面２１上の気体を吸引する。具体的には、吸引部６１は、排出口１９と積載面２１との間の気体を吸引する。すなわち、吸引部６１は、排出口１９から媒体Ｓが排出される際、排出口１９から排出される媒体Ｓと積載面２１との間の気体を吸引する。より具体的には、排出口１９から排出される媒体Ｓと積載面２１との間の気体を、吸引口２４を開口させた外壁２３が位置する側から吸引する。
【００５１】
媒体Ｓを排出口１９から排出して積載部２２に積載する記録装置１１においては、積載面２１上における媒体Ｓの積載状態が乱れることがある。積載部２２に積載されている媒体Ｓの積載状態が乱れる主な要因として、媒体Ｓが排出口１９から積載面２１に落下する時に生じる空気抵抗と、媒体Ｓに生じるカルマン渦とが考えられる。排出口１９から積載部２２に向けて落下する媒体Ｓは、空気抵抗によってその落下速度が低下することがある。このとき、排出口１９から排出された媒体Ｓは、その落下速度が低下することに起因して、排出口１９から排出される次の媒体Ｓと接触することがある。これにより、媒体Ｓの落下位置がずれ、媒体Ｓの積載状態が乱れることがある。
【００５２】
排出口１９から積載部２２に向けて落下する媒体Ｓにおいては、その端部の周辺にカルマン渦が発生することがある。媒体Ｓが長方形状の用紙である場合においては、その４辺における紙端の周辺にカルマン渦が発生することがある。このとき、排出口１９から排出された媒体Ｓは、カルマン渦によって、落下中にその姿勢がふらつく場合がある。これにより、媒体Ｓの落下位置がずれ、媒体Ｓの積載状態の乱れることがある。そのため、本実施形態における記録装置１１は、吸引口２４を介して吸引部６１が気体を吸引することによって、空気抵抗及びカルマン渦の発生を低減する。これにより、媒体Ｓを積載部２２に素早く落下させ、媒体Ｓの積載状態の乱れを低減する。
【００５３】
図３、図４に示すグラフは、実験により得られたグラフである。このグラフは、吸引ファン６２に印加される電圧と、積載部２２に積載される媒体Ｓの積載状態、すなわち媒体Ｓの整列性との関係を示している。グラフにおいて、その縦軸は媒体Ｓの整列性を示し、その横軸は吸引ファン６２に印加される電圧を示している。媒体Ｓの整列性は、吸引ファン６２による吸引がない状態、すなわち吸引ファン６２に印加される電圧が０Ｖである場合の媒体Ｓの整列性を１００％として相対的に示している。媒体Ｓの整列性は、グラフにおいて、その値が小さいほど積載状態の乱れが小さい状態、すなわち媒体Ｓの整列性が高い状態を示している。
【００５４】
吸引部６１は、吸引ファン６２に印加される電圧が大きいほど、単位時間当たりに吸引する気体の流量が大きくなるように構成されている。本実施形態においては、吸引部６１が単位時間あたりに吸引する気体の流量を吸引量と称する。吸引量は、吸引ファン６２において気体が通過可能な面積と吸引ファン６２を通過する気体の流速によって決まる。吸引部６１において、気体が通過可能な吸引ファン６２の面積は変わらないため、吸引部６１の吸引量が大きくなるということは、吸引ファン６２を通過する気体の流速が速くなるということである。吸引ファン６２を通過する気体の流速が速くなると、吸引口２４を通過する気体の流速も速くなる。すなわち、図３、図４に示すグラフは、吸引口２４を通過する気体の流速と、媒体Ｓの整列性との関係を示しているともいえる。
【００５５】
吸引部６１の吸引量は、吸引部６１の仕事量が変化することによって変化する。吸引部６１の仕事量が大きくなると、吸引部６１の吸引量が大きくなる。吸引部６１の仕事量が小さくなると、吸引部６１の吸引量が小さくなる。吸引部６１の仕事量とは、吸引部６１が単位時間当たりに消費するエネルギーの量である。そのため、吸引部６１の仕事量は、吸引部６１が有する吸引ファン６２の性能と、吸引ファン６２を流れる電流とによって決まる。吸引部６１の仕事量は、吸引ファン６２の性能と、吸引ファン６２に印加される電圧によって決まるともいえる。
【００５６】
図３に示すグラフは、吸引ファン６２に印加される電圧と、記録装置１１の奥行方向（排出される媒体Ｓの排出方向と交差する方向）における媒体Ｓの整列性との関係を示している。吸引ファン６２に印加される電圧が８Ｖであるとき、記録装置１１の奥行方向における媒体Ｓの整列性は５７％である。吸引ファン６２に印加される電圧が１２Ｖであるとき、記録装置１１の奥行方向における媒体Ｓの整列性は３４％である。吸引ファン６２に印加される電圧が１６Ｖであるとき、記録装置１１の奥行方向における媒体Ｓの整列性は２４％である。すなわち、このグラフは、吸引口２４を通過する気体の流速が速くなるにつれて、記録装置１１の奥行方向における媒体Ｓの整列性が向上することを示している。
【００５７】
図４に示すグラフは、吸引ファン６２に印加される電圧と、記録装置１１の幅方向（排出される媒体Ｓの排出方向）における媒体Ｓの整列性との関係を示している。吸引ファン６２に印加される電圧が８Ｖであるとき、記録装置１１の幅方向における媒体Ｓの整列性は１２０％である。吸引ファン６２に印加される電圧が１２Ｖであるとき、記録装置１１の幅方向における媒体Ｓの整列性は１４０％である。吸引ファン６２に印加される電圧が１６Ｖであるとき、記録装置１１の幅方向における媒体Ｓの整列性は２９０％である。すなわち、このグラフは、吸引口２４を通過する気体の流速が速くなるにつれて、記録装置１１の幅方向における媒体Ｓの整列性が低下することを示している。
【００５８】
第１実施形態において、吸引部６１は、外壁２３側から吸引、すなわち媒体Ｓの後端側から気体を吸引するため、その吸引に伴って、記録装置１１の幅方向において媒体Ｓが吸引口２４側に移動することがある。そのため、記録装置１１の幅方向における媒体Ｓの整列性が少し悪化すると考えられる。なお、吸引ファン６２に印加される電圧が１２Ｖよりも高くなると、吸引部６１の吸引が強すぎるために、媒体Ｓが吸引口２４に貼り付き、媒体Ｓの整列性が極端に悪化する。
【００５９】
ここで、図３に示すグラフと図４に示すグラフとを重ね合わせることによって、媒体Ｓの整列性を総合的に評価する。例えば、吸引ファン６２に印加される電圧が０Ｖであるとき、記録装置１１の奥行方向における媒体Ｓの整列性が１００％、記録装置１１の幅方向における媒体Ｓの整列性が１００％である。そこで、両者を足し合わせることによって、吸引ファン６２に印加される電圧が０Ｖであるときの媒体Ｓの整列性を、１００％＋１００％＝２００％として評価する。
【００６０】
この場合、吸引ファン６２に印加される電圧が８Ｖであるときの媒体Ｓの整列性は、５７％＋１２０％＝１７７％となる。吸引ファン６２に印加される電圧が１２Ｖであるときの媒体Ｓの整列性は、３４％＋１４０％＝１７４％となる。すなわち、吸引口２４を介して吸引部６１が気体を吸引することによって、媒体Ｓの整列性が向上しているといえる。なお、吸引ファン６２に印加される電圧が１６Ｖであるときの整列性は、２４％＋２９０％＝３１４％となる。そのため、吸引口２４を通過する気体の流速が速すぎると、逆に媒体Ｓの整列性の悪化を招くことになる。
【００６１】
図５に示すように、本実施形態における吸引口２４は、積載部２２に積載される媒体Ｓの後端が接触する外壁２３に開口している。そのため、媒体Ｓが積載部２２に積載されることに伴い、その吸引口２４の一部が、積載部２２に積載される媒体Ｓによって塞がれる。本実施形態においては、記録装置１１の上下方向に延びるスリット状の吸引口２４が、積載部２２に積載される媒体Ｓによってその下側から徐々に塞がれる。
【００６２】
吸引口２４の一部が塞がれると、外壁２３に開口する吸引口２４のうち、気体を吸引可能な吸引口２４の割合が減ることになる。気体を吸引可能な吸引口２４の割合が減ると、吸引部６１の吸引量は変わらないために、吸引口２４を通過する気体の流速が速くなる。吸引口２４を通過する気体の流速が速くなると、上述したように媒体Ｓの整列性を悪化させる場合がある。そのため、本実施形態の記録装置１１は、吸引口２４の一部が媒体Ｓによって塞がれることに基づいて、制御部３０が吸引部６１を制御するように構成されている。すなわち、制御部３０は、積載部２２に積載された媒体Ｓにより塞がれて減少する吸引口２４の開口している面積に応じて、吸引部６１の仕事量を制御する。吸引部６１の仕事量は、例えば、吸引ファン６２に印加される電圧を変化させることにより制御される。
【００６３】
上記のように構成された第１実施形態における記録装置１１の作用について説明する。
制御部３０は、排出口１９から媒体Ｓが排出される際に、積載部２２に積載される媒体Ｓの積載量を検出部３６により把握する。制御部３０は、検出部３６が検出した媒体Ｓの積載量に基づいて、吸引部６１を制御する。上述したように、第１実施形態の記録装置１１においては、媒体Ｓの積載量が増えることに伴って、媒体Ｓによって塞がれる吸引口２４の割合が増す。つまり、媒体Ｓの積載量が増えることに伴い、外壁２３において吸引口２４の開口している面積が減少する。そのため、吸引口２４のうち媒体Ｓによって塞がれている吸引口２４の割合を、積載部２２に積載されている媒体Ｓの積載量として置き換えることができる。すなわち、第１実施形態において、制御部３０は、検出部３６が検出する媒体Ｓの積載量に基づいて、吸引口２４のうち媒体Ｓによって塞がれている吸引口２４の割合を把握する。
【００６４】
吸引口２４を通過する気体の流速は、吸引部６１の吸引量と、媒体Ｓによって塞がれている吸引口２４の割合とによって決まる。そのため、制御部３０は、検出部３６が検出する媒体Ｓの積載量に基づき、吸引口２４を通過する気体の流速が速くなり過ぎないように、吸引部６１を制御する。
【００６５】
制御部３０は、検出部３６が媒体Ｓを検出することに基づいて、吸引口２４の一部が塞がれていることを把握する。本実施形態においては、吸引口２４の一部が媒体Ｓによって塞がれることに伴い、吸引口２４から吸引される気体の流速が速くなる。そのため、制御部３０は、吸引口２４の一部が媒体Ｓによって塞がれることに基づいて、吸引部６１の吸引量を小さくする。すなわち、制御部３０は、積載部２２に積載された媒体Ｓにより複数の吸引口２４のそれぞれの一部が塞がれることによって減少する吸引口２４の開口している面積に応じて、吸引部６１の仕事量を小さくする。例えば、吸引ファン６２に印加される電圧を小さくすることによって、吸引部６１の仕事量を小さくする。
【００６６】
第１実施形態において、制御部３０には、例えば、媒体Ｓの積載量を「小」、「中」、「大」の３パターンで判断するための第１設定値と第２設定値とが予め設定されている。制御部３０は、検出部３６が検出した積載量と、第１設定値及び第２設定値とを比較する。
【００６７】
制御部３０は、媒体Ｓの積載量が第１設定値よりも小さい場合に、媒体Ｓの積載量が「小」であると判断する。この場合、制御部３０は、吸引部６１の吸引量を変更しない。すなわち、吸引部６１は、初期値として設定されている第１の吸引量で気体を吸引する。つまり、吸引部６１は、初期値として設定されている第１の仕事量で駆動する。
【００６８】
制御部３０は、媒体Ｓの積載量が第１設定値以上で且つ第２設定値よりも小さい場合に、媒体Ｓの積載量が「中」であると判断する。この場合、制御部３０は、媒体Ｓの積載量が「小」であるときよりも吸引部６１の吸引量を小さくする。すなわち、吸引部６１は、第１の吸引量よりも小さい第２の吸引量で気体を吸引する。つまり、吸引部６１は、第１の仕事量よりも小さい第２の仕事量で駆動する。
【００６９】
制御部３０は、媒体Ｓの積載量が第２設定値以上の場合、媒体Ｓの積載量が「大」であると判断する。この場合、制御部３０は、媒体Ｓの積載量が「中」であるときよりも吸引部６１の吸引量を小さくする。すなわち、吸引部６１は、第２の吸引量よりも小さい第３の吸引量で気体を吸引する。つまり、吸引部６１は、第２の仕事量よりも小さい第３の仕事量で駆動する。
【００７０】
上述した第１実施形態によれば、以下のような効果を得ることができる。
（１）排出口１９から排出される媒体Ｓの下方の気体を吸引部６１が吸引することによって、積載部２２に向けて媒体Ｓを安定して落下させる。このとき、積載部２２に媒体Ｓが積載されることに伴い、吸引口２４の一部が媒体Ｓによって塞がれる。吸引部６１が一定の仕事量で駆動している場合、吸引口２４の一部が媒体Ｓに塞がれると、吸引口２４のうち気体を吸引可能な吸引口２４の割合が減少するため、吸引口２４を通過する気体の流速が速くなる。吸引口２４を通過する気体の流速が速くなると、排出口１９から排出される媒体Ｓを強く吸引することになるため、積載部２２に積載される媒体Ｓの積載状態の乱れに繋がる虞がある。この点、上記構成によれば、積載部２２に積載された媒体Ｓにより塞がれて減少する吸引口２４の開口している面積に応じて吸引部６１の仕事量を小さくするため、吸引口２４を通過する気体の流速が速くなることを抑制できる。したがって、媒体Ｓの積載状態の乱れを低減できる。
【００７１】
（２）吸引口２４は、外壁２３に開口している。そのため、排出口１９から排出される媒体Ｓの下方の気体を吸引部６１により外壁２３が位置する側から好適に吸引できる。
（３）吸引口２４が上下方向に延びるスリット状の開口として複数設けられているため、積載部２２に積載された媒体Ｓが吸引口２４内に吸い込まれる虞を低減できる。
【００７２】
（４）記録装置１１は、積載部２２に積載されている媒体Ｓの積載量を検出可能な検出部３６を備える。制御部３０は、検出部３６の検出に基づいて、吸引部６１の仕事量を変更する。積載部２２に積載される媒体Ｓの積載量が増えると、吸引口２４において媒体Ｓによって塞がれる割合が増える。そのため、積載部２２に積載される媒体Ｓの積載量に基づいて、媒体Ｓによって塞がれている吸引口２４の割合を把握できる。すなわち、積載部２２に積載された媒体Ｓにより塞がれて減少する吸引口２４の開口している面積に応じて、吸引部６１の仕事量を変更できる。
【００７３】
（５）処理部は、媒体Ｓに記録する記録部３２である。そのため、記録部３２により記録された媒体Ｓの積載状態の乱れを低減できる。
（６）送風部５１は、吸引部６１が吸引した気体を送風する気体を排出口１９よりも上方から積載面２１に向けて送風する。すなわち、送風部５１は、排出口１９から排出される媒体Ｓに対し、その上方から下方に向けて気体を送風する。これにより、排出口１９から排出される媒体Ｓを積載部２２に向けて素早く落下させることができる。また、送風部５１は、吸引部６１が吸引した気体を送風する。そのため、記録装置１１において、送風部５１が送風する気体を別途外部から気体を取り込むための機構が必要ない。すなわち、送風部５１を簡易な構成で実現できる。
【００７４】
（第２実施形態）
次に、記録装置１１の第２実施形態について図を参照して説明する。なお、第２実施形態においては、主に第１実施形態と異なる点について説明する。
【００７５】
図６に示すように、第２実施形態における記録装置１１は、第１実施形態における記録装置１１と比較して、吸引口２４の設けられる位置が異なっている。すなわち、第２実施形態の記録装置１１においては、吸引口２４が積載部２２の積載面２１に設けられている。すなわち、吸引口２４は、排出口１９よりも下方に位置している。
【００７６】
吸引口２４は、記録装置１１の奥行方向に延びるスリット状の開口である。吸引口２４は、積載面２１において、記録装置１１の幅方向に並ぶように複数設けられている。吸引口２４は、積載面２１において、記録装置１１が記録可能な最大サイズの媒体Ｓよりも、記録装置１１の奥行方向において長尺となるように延びている。
【００７７】
積載部２２は、記録装置１１の幅方向に延びるリブ７１を積載面２１上に有している。リブ７１は、積載面２１上において、記録装置１１の奥行方向に並ぶように複数設けられている。リブ７１は、積載面２１に開口する吸引口２４の上方を通過するように延びている。すなわち、リブ７１は、吸引口２４の一部を覆うように延びている。そのため、吸引口２４及びリブ７１は、積載面２１上において格子状をなすように設けられている。リブ７１は、排出口１９から排出された媒体Ｓが積載面２１に開口する吸引口２４に落ち込まないようにするための部材である。すなわち、第２実施形態において、排出口１９から排出される媒体Ｓは、リブ７１上に積載される。
【００７８】
上記のように構成された第２実施形態における記録装置１１の作用について説明する。
第２実施形態の記録装置１１における吸引部６１は、吸引口２４を介して積載面２１上の気体を吸引する。すなわち、吸引部６１は、排出口１９から排出される媒体Ｓと積載面２１との間の気体を積載面２１が位置する側から下方に吸引する。第２実施形態においては、落下する媒体Ｓの方向と吸引部６１の吸引によって吸引される気体の流れる方向とが一致するため、媒体Ｓがより素早く落下される。
【００７９】
図７に示すように、排出口１９から排出された媒体Ｓが積載部２２に積載されると、その吸引口２４の一部がその媒体Ｓによって塞がれる。第２実施形態においては、吸引口２４が積載面２１に開口している。そのため、積載部２２に媒体Ｓが積載されていない状態から媒体Ｓが積載されている状態になった場合、すなわち排出口１９から１枚目の媒体Ｓが排出された後には、吸引口２４の大半の領域がその１枚目の媒体Ｓによって塞がれる。つまり、媒体Ｓが積載部２２に積載されることにより、積載面２１において吸引口２４の開口している面積が減少する。
【００８０】
吸引口２４の一部が塞がれると、積載面２１に開口する吸引口２４のうち、気体を吸引可能な吸引口２４の割合が減る。気体を吸引可能な吸引口２４の割合が減ると、吸引ファン６２の吸引量は変わらないために、吸引口２４を通過する気体の流速が速くなる。吸引口２４を通過する気体の流速が速くなると、上述したように媒体Ｓの整列性を悪化させる場合がある。そのため、本実施形態の記録装置１１は、吸引口２４の一部が媒体Ｓによって塞がれることに基づいて、制御部３０が吸引部６１を制御するように構成されている。
【００８１】
第２実施形態においては、第１実施形態と異なり吸引口２４が積載面２１に開口しているため、排出口１９から２枚目以降の媒体Ｓが排出されたとしても、吸引口２４が塞がれる割合は大きく変動しない。すなわち、積載部２２に積載される媒体Ｓの積載量が増加したとしても、媒体Ｓによって塞がれる吸引口２４の割合が大きく変わらない。
【００８２】
第２実施形態においては、積載部２２に積載される媒体Ｓの枚数が０枚である場合と、媒体Ｓの枚数が１枚以上である場合とで、媒体Ｓによって塞がれる吸引口２４の割合が大きく変動する。そのため、第２実施形態において、制御部３０は、積載部２２に媒体Ｓがある場合に、積載部２２に媒体Ｓがない場合に比べて吸引部６１の吸引量を小さくする。すなわち、制御部３０は、吸引口２４の一部が媒体Ｓに塞がれることに基づいて、吸引部６１の吸引量を小さくする。制御部３０は、積載部２２に積載された媒体Ｓにより塞がれて減少する吸引口２４の開口している面積に応じて、吸引部６１の仕事量を制御する。
【００８３】
制御部３０は、検出部３６により積載部２２に積載される媒体Ｓの有無を把握する。積載部２２に媒体Ｓがない場合、制御部３０は、吸引部６１の吸引量を変更しない。すなわち、吸引部６１は、初期値として設定されている第１の吸引量で気体を吸引する。つまり、吸引部６１は、初期値として設定されている第１の仕事量で駆動する。
【００８４】
積載部２２に媒体Ｓがある場合、制御部３０は、積載部２２に媒体Ｓがない場合よりも吸引部６１の吸引量を小さくする。すなわち、吸引部６１は、第１の吸引量よりも小さい第２の吸引量で気体を吸引する。つまり、吸引部６１は、第１の仕事量よりも小さい第２の仕事量で駆動する。
【００８５】
図８に示すように、第２実施形態においては、媒体Ｓの積載高さ、すなわち媒体Ｓの積載量が大きくなると、排出口１９から排出される媒体Ｓの下方の気体を吸引することが難しくなる。そのため、第２実施形態においては、制御部３０は、媒体Ｓの積載高さが高くなることに基づいて、吸引部６１の吸引量、すなわち吸引部６１の仕事量を大きくすることが好ましい。
【００８６】
第２実施形態において、制御部３０には、例えば、媒体Ｓの積載高さを「低」、「高」の２パターンで判断するための規定値が予め規定されている。制御部３０は、検出部３６が検出した積載高さと、規定値とを比較する。
【００８７】
制御部３０は、媒体Ｓの積載高さが規定値よりも小さい場合に、媒体Ｓの積載高さが「低」であると判断する。この場合、制御部３０は、吸引部６１の吸引量を変更しない。すなわち、吸引部６１は、積載部２２に媒体Ｓがない場合は第１の吸引量で気体を吸引し、積載部２２に媒体Ｓがある場合は第２の吸引量で気体を吸引する。つまり、吸引部６１は、積載部２２に積載部２２に媒体Ｓがない場合は第１の仕事量で駆動し、積載部２２に媒体Ｓがある場合は第２の仕事量で駆動する。
【００８８】
制御部３０は、媒体Ｓの積載高さが規定値以上である場合に、媒体Ｓの積載高さが「高」であると判断する。この場合、制御部３０は、媒体Ｓの積載高さが「小」であるときよりも吸引部６１の吸引量を大きくする。このとき、積載部２２には少なからず媒体Ｓが積載されているため、制御部３０は、吸引部６１の吸引量を第２の吸引量よりも大きい第４の吸引量で吸引部６１に気体を吸引させる。第４の吸引量は、第１の吸引量よりも小さいことが好ましい。つまり、吸引部６１は、媒体Ｓの積載高さが規定値以上である場合に、第２の仕事量よりも大きい第４の仕事量で駆動する。
【００８９】
検出部３６により検出した媒体Ｓの積載高さが高い場合に、吸引部６１の吸引量を大きくすることによって、積載部２２に積載される最上位の媒体Ｓと、排出口１９から排出される媒体Ｓとの間の気体が効果的に吸引される。まとめると、制御部３０は、２枚目の媒体Ｓが排出される際に吸引部６１の吸引量を小さくする。制御部３０は、媒体Ｓの積載高さが高くなることに伴い、吸引部６１の吸引量を大きくする。すなわち、制御部３０は、媒体Ｓの積載高さに基づき吸引部６１の吸引量を変更する。つまり、制御部３０は、媒体Ｓの積載高さに基づき吸引部６１の仕事量を変更する。
【００９０】
上述した第２実施形態によれば、上述した第１実施形態における（１）、（４）、（５）、（６）の効果に加え、以下のような効果を得ることができる。
（７）吸引口２４は、積載面２１に開口している。そのため、排出口１９から排出される媒体Ｓの下方の気体を吸引部６１により積載面２１が位置する側から好適に吸引できる。
【００９１】
（８）制御部３０は、積載部２２に積載される媒体Ｓの積載高さが高くなることに基づいて、吸引部６１の仕事量を大きくする。積載部２２に吸引口２４が設けられているため、積載部２２に積載される媒体Ｓの積載高さが高くなると、積載されたその媒体Ｓによって、排出口１９から排出される媒体Ｓの下方の気体を吸引部６１が吸引し難くなる。そこで、積載部２２に積載される媒体Ｓの積載高さが高くなることに基づいて吸引部６１の仕事量を大きくする。これにより、排出口１９から排出される媒体Ｓの下方の気体を吸引部６１により大きな仕事量でもって好適に吸引できる。
【００９２】
なお、上記各実施形態は以下のように変更してもよい。また、以下の変更例は、適宜組み合わせてもよい。
・図９に示すように、上記第１実施形態において、吸引口２４は、外壁２３に限らず、側壁２５に開口していてもよい。側壁２５に開口する吸引口２４は、排出口１９よりも下方に位置している。側壁２５に開口する吸引口２４は、記録装置１１の上下方向に延びるスリット状の開口である。側壁２５に開口する吸引口２４は、側壁２５において、記録装置１１の幅方向に並んで複数設けられている。
【００９３】
この変更例によれば、以下の効果を得ることができる。
（９）排出口１９から排出される媒体Ｓの下方の気体を吸引部６１により好適に吸引できる。また、外壁２３及び側壁２５に吸引口２４が開口するため、外壁２３が位置する側及び側壁２５が位置する側という多方向から積載面２１上の気体を吸引可能となる。そのため、積載面２１上の気体をより均一に吸引できる。
【００９４】
また、吸引口２４は、側壁２５だけに設けられる構成としてもよい。
この変更例によれば、以下の効果を得ることができる。
（１０）排出口１９から排出される媒体Ｓの下方の気体を吸引部６１により側壁２５が位置する側から好適に吸引できる。
【００９５】
また、この変更例において、記録装置１１は、その奥行方向における前方側に、側壁２５と対向する側壁を備えてもよい。この側壁は、外壁２３及び積載部２２と連なって延びる。そして吸引口２４は、その側壁に開口していてもよい。これによれば、積載面２１上の気体を３方の面から吸引可能となる。そのため、積載面２１上の気体をより均一に吸引できる。なお、吸引口２４は、側壁２５だけに設けられていてもよい。外壁２３、側壁２５、側壁２５と対向する側壁のうち少なくとも何れかひとつの壁に吸引口２４が設けられていれば、積載面２１上の気体を吸引できる。
【００９６】
・上記第１実施形態において、吸引口２４は、外壁２３に限らず、第２実施形態のように積載面２１に開口していてもよい。すなわち、第１実施形態の構成と第２実施形態の構成とを組み合わせてもよい。
【００９７】
・上記第１実施形態において、吸引口２４は、記録装置１１の上下方向に対して斜めに延びるように設けられていてもよい。
・図１４に示すように、上記第１実施形態において、吸引口２４は、スリットの代わりに、上下方向に配列された丸穴状の開口として複数設けられる構成でもよい。この開口は、外壁２３において、記録装置１１の奥行方向においても複数設けられている。なお、この丸穴状の開口は、側壁２５にも設けられていてもよいし、側壁２５だけに設けられていてもよい。
【００９８】
この変更例によれば、以下の効果を得ることができる。
（１１）吸引口２４が上下方向に配列される開口として複数設けられているため、積載部２２に積載された媒体Ｓが吸引口２４内に吸い込まれる虞を低減できる。
【００９９】
・図１０及び図１１に示すように、上記第２実施形態において、積載面２１に開口する吸引口２４は、丸形状をなすように設けられていてもよい。この場合、積載部２２は、リブ７１を有していなくともよい。丸状の吸引口２４は、積載面２１において、記録装置１１の奥行方向及び幅方向において、等間隔に並んで複数設けられている。
【０１００】
積載部２２を貫通する吸引口２４において、その積載面２１側となる部分は、積載面２１に向けて広がるように傾斜するテーパー部分７２とされている。これによれば、排出口１９から排出された媒体Ｓの角部分が吸引口２４に入り込んだとしても、そのテーパー部分７２によってその角部分を掬い上げることができる。すなわち、吸引口２４に入り込んだ媒体Ｓの角部分を、テーパー部分７２により積載面２１上に復帰させることができる。
【０１０１】
また、図１２に示すように、丸形状の吸引口２４に替えて、しずく形状の吸引口２４を設けてもよい。この場合、吸引口２４は、しずく形状においてその窄んだ側が、記録装置１１の幅方向においてカバー１６が位置する側、すなわち第１端側を向くように積載面２１に開口することが好ましい。
【０１０２】
また、図１３に示すように、丸形状の吸引口２４に替えて、三角形状の吸引口２４を設けてもよい。この場合、吸引口２４は、三角形状において頂点となるその一つの角部分が、記録装置１１の幅方向においてカバー１６が位置する側、すなわち第１端側を向くように、積載面２１に開口することが好ましい。
【０１０３】
・上記第２実施形態において、吸引部６１は、吸引した気体を第３供給経路４３に向けて吹き付けるように構成されてもよい。この場合、吸引部６１は、第３供給経路４３の上方から気体を吹き付ける。すなわち、吸引部６１は、第３供給経路４３を搬送される媒体Ｓに対し、記録部３２により画像を記録された面に気体を吹き付ける。そのため、媒体Ｓの乾燥を促進できる。
【０１０４】
・上記各実施形態において、検出部３６を備えない構成としてもよい。この場合、制御部３０が排出口１９から排出される媒体Ｓの枚数をカウントする構成としてもよい。制御部３０は、そのカウント数に基づいて、吸引部６１を制御してもよい。制御部３０は、そのカウント数に基づいて、積載部２２に積載される媒体Ｓの積載量を把握し、吸引口２４のうち媒体Ｓによって塞がれている吸引口２４の割合を把握する。つまり、制御部３０は、そのカウント数に基づいて、積載部２２に積載される媒体Ｓの積載量を把握し、積載部２２に積載された媒体Ｓにより塞がれて減少する吸引口２４の開口している面積に応じて、吸引部６１の仕事量を制御する。
【０１０５】
この変更例によれば、以下の効果を得ることができる。
（１２）排出口１９から排出された媒体Ｓは積載部２２に積載されるため、排出口１９から排出される媒体Ｓの排出数が増えると、吸引口２４において媒体Ｓによって塞がれる割合が増える。そのため、この変更例によれば、排出口１９から排出される媒体Ｓの排出数に基づいて、媒体Ｓによって塞がれている吸引口２４の割合を把握できる。すなわち、積載部２２に積載された媒体Ｓにより塞がれて減少する吸引口２４の開口している面積に応じて、吸引部６１の仕事量を変更できる。
【０１０６】
・上記各実施形態において、制御部３０は、排出口１９から排出される媒体Ｓのサイズに基づいて、吸引部６１の吸引量を変更してもよい。例えば、初期値として設定されている第１の吸引量で気体を吸引すると、排出口１９からサイズの小さい媒体Ｓが排出される場合には、その吸引が強すぎる場合がある。吸引が強すぎると、積載部２２に積載される媒体Ｓの整列性が悪化する虞がある。そこで、制御部３０は、媒体Ｓのサイズに基づいて、吸引部６１を制御する。具体的には、制御部３０は、排出口１９から排出される媒体Ｓのサイズが、通常使用される媒体Ｓのサイズよりも小さい場合に、吸引部６１の吸引量を小さくする。
【０１０７】
この変更例によれば、以下の効果を得ることができる。
（１３）媒体Ｓのサイズによっては、吸引部６１による吸引が強すぎる場合がある。そのため、例えば、通常使用する媒体Ｓのサイズと比較して、排出口１９から排出される媒体Ｓのサイズが小さい場合には、吸引部６１の仕事量を小さくする。すなわち、上記構成によれば、媒体Ｓのサイズに基づいて、吸引部６１の仕事量を適切に制御できる。
【０１０８】
・上記各実施形態において、吸引流路６３と送風流路５４とは、互いに接続されていなくともよい。この場合、吸引流路６３は、吸引口２４を介して吸引された気体が、記録装置１１が備える基板等に吹き付けられるように延びる構成されてもよい。すなわち、吸引部６１が吸引する気体を、記録装置１１を構成する部材の冷却に用いてもよい。また、吸引部６１が吸引した気体を単に筐体１２の外部に排出する構成としてもよい。
【０１０９】
・上記各実施形態において、送風部５１は、備えなくてもよい。
・上記各実施形態において、積載部２２の積載面２１は、水平に延びる構成でもよい。
・上記各実施形態において、制御部３０は、積載部２２に積載される媒体Ｓの積載量に基づき、吸引部６１の吸引量をリニアに制御する構成でもよい。
【０１１０】
・上記各実施形態において、処理部は、媒体Ｓに画像を記録する記録部３２に限らない。例えば、媒体Ｓに処理を施す処理部は、媒体Ｓを所望の大きさに切断する切断部でもよいし、媒体Ｓの画像を読み取る読取部でもよい。すなわち、媒体処理装置は、記録装置１１に限らず、切断装置でもよいし、読取装置でもよい。媒体Ｓに処理を施す装置であれば、上記各実施形態の構成を採用可能である。
【０１１１】
・上記各実施形態において、媒体Ｓは、用紙に限らず、プラスチックフィルム、金属フィルム、布帛等でもよい。
・上記各実施形態において、記録装置１１は、インク以外の他の流体（液体や、機能材料の粒子が液体に分散又は混合されてなる液状体、ゲルのような流状体、流体として流して噴射できる固体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置、トナーなどの粉体（粉粒体）を例とする固体を噴射する粉粒体噴射装置（例えばトナージェット式記録装置）であってもよい。そして、これらのうちいずれか一種の流体噴射装置に本発明を適用することができる。なお、本明細書において「流体」とは、例えば液体（無機溶剤、有機溶剤、溶液、液状樹脂、液状金属（金属融液）等を含む）、液状体、流状体、粉粒体（粒体、粉体を含む）などが含まれる。
【符号の説明】
【０１１２】
１１…記録装置（媒体処理装置）、１９…排出口、２１…積載面、２２…積載部、２３…外壁、２４…吸引口、２５…側壁、３０…制御部、３２…記録部（処理部）、３４…ローラー、３６…検出部、５１…送風部、６１…吸引部、６２…吸引ファン、６３…吸引流路、Ｓ…媒体。
【図１】
2019014600.tif 000003
【図２】
2019014600.tif 000004
【図３】
2019014600.tif 000005
【図４】
2019014600.tif 000006
【図５】
2019014600.tif 000007
【図６】
2019014600.tif 000008
【図７】
2019014600.tif 000009
【図８】
2019014600.tif 000010
【図９】
2019014600.tif 000011
【図１０】
2019014600.tif 000012
【図１１】
2019014600.tif 000013
【図１２】
2019014600.tif 000014
【図１３】
2019014600.tif 000015
【図１４】
2019014600.tif 000016